(57)【要約】      （修正有）【課題】プリンタやスキャナ等の色再現／階調再現特性用のプロファイル作成システム等でより精度の高いプロファイルを作成する。【解決手段】対象装置の色再現／階調再現特性を判定・定義する１以上の処理装置がネットワークを介し情報の授受が可能に接続した管理装置とで構成したプロファイル作成システムで、処理装置は対象装置で出力した１以上のパッチから成るチャート各パッチを測定し、パッチの分光反射率を取得し各パッチの測定の際の光源を特定する光源データを管理装置に送信し、分光強度分布データを受信する受信手段と分光反射率と分光強度分布データとに基づき補正三刺激値を取得する手段と補正三刺激値と各パッチのデータ信号に基づき対象装置のプロファイルを作成し、管理装置は受信した光源データの光源の分光強度分布を示す分光強度分布データを取得し、分光強度分布データを光源データの送信元の処理装置に送信することを特徴とする。【選択図】図１
2007104319.tif 000002
【特許請求の範囲】
【請求項１】
被測定対象装置の色再現特性及び／又は階調再現特性を判定又は／及び定義する少なくとも１以上の処理装置と、当該処理装置とネットワークを介して情報の授受が可能に接続された管理装置とにより構成されるプロファイル作成システムにおいて、
前記処理装置は、
前記被測定対象装置にて出力された少なくとも１以上のパッチから成るチャートの各前記パッチを測定して前記パッチの分光反射率を取得する分光反射率取得手段と、
前記各パッチの測定を行なった際の光源を特定するための光源データを前記管理装置に送信する光源データ送信手段と、
前記管理装置から送信された前記光源データに係る光源の分光強度分布を示す分光強度分布データを受信する分光強度分布データ受信手段と、
前記分光反射率取得手段によって取得した前記分光反射率と、前記分光強度分布データ受信手段によって受信した前記分光強度分布データとに基づいて、補正三刺激値を取得する第１の補正三刺激値取得手段と、
取得した前記補正三刺激値と前記各パッチのデータ信号に基づいて、前記被測定対象装置のプロファイルを作成する第１のプロファイル作成手段と、を有し、
前記管理装置は、
前記処理装置から送信された前記光源データを受信する光源データ受信手段と、
受信した前記光源データに係る光源の分光強度分布を示す前記分光強度分布データを取得する分光強度分布データ取得手段と、
前記分光強度分布データ取得手段にて取得した前記分光強度分布データを前記光源データの送信元である前記処理装置に送信する分光強度分布データ送信手段と、
を有することを特徴とするプロファイル作成システム。
【請求項２】
被測定対象装置の色再現特性及び／又は階調再現特性を判定又は／及び定義する少なくとも１以上の処理装置と、当該処理装置とネットワークを介して情報の授受が可能に接続された管理装置とにより構成されるプロファイル作成システムにおいて、
前記処理装置は、
前記被測定対象装置にて出力された少なくとも１以上のパッチから成るチャートの各前記パッチを測定して前記パッチの分光反射率を取得する分光反射率取得手段と、
前記各パッチの測定を行なった際の光源を特定するための光源データを前記管理装置に送信する光源データ送信手段と、
前記分光反射率取得手段によって取得した前記分光反射率と、前記各パッチのデータ信号と、を前記管理装置に送信する信号送信手段と、
前記管理装置から送信された前記被測定対象装置のプロファイルを受信するプロファイル受信手段と、を有し、
前記管理装置は、
前記処理装置から送信された前記光源データと、前記分光反射率と、前記各パッチのデータ信号と、を受信する光源データ及び信号受信手段と、
受信した前記光源データに係る光源の分光強度分布を示す分光強度分布データを取得する分光強度分布データ取得手段と、
受信した前記分光反射率と、前記分光強度分布データ取得手段にて取得した前記分光強度分布データとに基づいて、補正三刺激値を取得する第２の補正三刺激値取得手段と、
取得した前記補正三刺激値と受信した前記各パッチのデータ信号に基づいて、前記被測定対象装置のプロファイルを作成する第２のプロファイル作成手段と、
作成した前記プロファイルを前記光源データの送信元である前記処理装置に送信するプロファイル送信手段と、
を有することを特徴とするプロファイル作成システム。
【請求項３】
請求項１又は２に記載のプロファイル作成システムにおいて、
前記管理装置は、
少なくとも１以上の前記光源データと、当該光源データに係る光源の分光強度分布を示す分光強度分布データと、を夫々対応付けて記憶する記憶手段と、
前記記憶手段を参照して受信した前記光源データに対応する前記分光強度分布データを検索する検索手段と、を有し、
前記分光強度分布データ取得手段は、検索された前記分光強度分布データを取得することを特徴とするプロファイル作成システム。
【請求項４】
請求項３に記載のプロファイル作成システムにおいて、
前記光源データは、光源の特性を示す複数の特性項目データによって構成され、前記検索手段による検索の結果、受信した前記光源データが前記記憶手段にない場合には、前記管理装置は、各前記特性項目データの優先順位を決定する優先順位決定手段を有し、
前記分光強度分布データ取得手段は、前記記憶手段に記憶された前記光源データのうち、受信した前記光源データを構成する前記特性項目データと、前記優先順位が高い順に、同じ前記特性項目データを有する前記光源データを検索し、当該光源データに対応する前記分光強度分布データを取得することを特徴とするプロファイル作成システム。
【請求項５】
請求項４に記載のプロファイル作成システムにおいて、
前記管理装置は、前記記憶手段に記憶された前記光源データのうち、受信した前記光源データを構成する前記特性項目データと、前記優先順位が高い順に従って検索しても同じ前記特性項目データを有する前記光源データがない場合には、受信した前記光源データに係る光源の分光強度分布を測定して分光強度分布データを作成する分光強度分布データ作成手段を有し、
前記分光強度分布データ取得手段は、作成された前記分光強度分布データを取得することを特徴とするプロファイル作成システム。
【請求項６】
請求項４又は５に記載のプロファイル作成システムにおいて、
前記特性項目データは、前記光源の種類、前記光源のサイズ、前記光源の演色性、前記光源の色温度の少なくともいずれか一つの特性項目であることを特徴とするプロファイル作成システム。
【請求項７】
請求項１乃至６のいずれか一項に記載のプロファイル作成システムにおいて、
前記被測定対象装置は印刷装置であって、
前記分光反射率取得手段は、前記印刷装置にて印刷された少なくとも１以上のパッチから成るカラーチャートの各前記パッチを測定して前記パッチの分光反射率を取得し、
前記光源データ送信手段は、前記各パッチの測定を行なった際の照明光光源を特定するための光源データを前記管理装置に送信し、
前記第１のプロファイル作成手段又は／及び前記第２のプロファイル作成手段は、前記補正三刺激値をＣＩＥＬａｂ空間における座標値に変換したＬ*ａ*ｂ*値と、前記各パッチのＣＭＹＫ値と、を用いて前記印刷装置のプロファイルを作成することを特徴とするプロファイル作成システム。
【請求項８】
被測定対象装置の色再現特性及び／又は階調再現特性を判定又は／及び定義する少なくとも１以上の処理装置と、当該処理装置とネットワークを介して情報の授受が可能に接続された管理装置とにより構成されるプロファイル作成システムにおける前記処理装置において、
前記被測定対象装置にて出力された少なくとも１以上のパッチから成るチャートの各前記パッチを測定して前記パッチの分光反射率を取得する分光反射率取得手段と、
前記各パッチの測定を行なった際の光源を特定するための光源データを前記管理装置に送信する光源データ送信手段と、
前記管理装置から送信された前記光源データに係る光源の分光強度分布を示す分光強度分布データを受信する分光強度分布データ受信手段と、
前記分光反射率取得手段によって取得した前記分光反射率と、前記分光強度分布データ受信手段によって受信した前記分光強度分布データとに基づいて、補正三刺激値を取得する第１の補正三刺激値取得手段と、
取得した前記補正三刺激値と前記各パッチのデータ信号に基づいて、前記被測定対象装置のプロファイルを作成する第１のプロファイル作成手段と、
を有することを特徴とする処理装置。
【請求項９】
請求項８に記載の処理装置において、
前記被測定対象装置は印刷装置であって、
前記分光反射率取得手段は、前記印刷装置にて印刷された少なくとも１以上のパッチから成るカラーチャートの各前記パッチを測定して前記パッチの分光反射率を取得し、
前記光源データ送信手段は、前記各パッチの測定を行なった際の照明光光源を特定するための光源データを前記管理装置に送信し、
前記第１のプロファイル作成手段は、前記補正三刺激値をＣＩＥＬａｂ空間における座標値に変換したＬ*ａ*ｂ*値と、前記各パッチのＣＭＹＫ値と、を用いて前記印刷装置のプロファイルを作成することを特徴とする処理装置。
【請求項１０】
コンピュータを、請求項８又は請求項９に記載の処理装置として機能させることを特徴とする処理プログラム。
【請求項１１】
被測定対象装置の色再現特性及び／又は階調再現特性を判定又は／及び定義する少なくとも１以上の処理装置と、当該処理装置とネットワークを介して情報の授受が可能に接続された管理装置とにより構成されるプロファイル作成システムにおける前記管理装置において、
前記処理装置から送信された光源を特定するための光源データを受信する光源データ受信手段と、
受信した前記光源データに係る光源の分光強度分布を示す分光強度分布データを取得する分光強度分布データ取得手段と、
前記分光強度分布データ取得手段にて取得した前記分光強度分布データを前記光源データの送信元である前記処理装置に送信する分光強度分布データ送信手段と、
を有することを特徴とする管理装置。
【請求項１２】
被測定対象装置の色再現特性及び／又は階調再現特性を判定又は／及び定義する少なくとも１以上の処理装置と、当該処理装置とネットワークを介して情報の授受が可能に接続された管理装置とにより構成されるプロファイル作成システムにおける前記管理装置において、
前記処理装置から送信された光源を特定するための光源データと、前記被測定対象装置にて出力された少なくとも１以上のパッチから成るチャートの各前記パッチを測定して取得された前記パッチの分光反射率と、前記各パッチのデータ信号と、を受信する光源データ及び信号受信手段と、
受信した前記光源データに係る光源の分光強度分布を示す分光強度分布データを取得する分光強度分布データ取得手段と、
受信した前記分光反射率と、前記分光強度分布データ取得手段にて取得した前記分光強度分布データとに基づいて、補正三刺激値を取得する第２の補正三刺激値取得手段と、
取得した前記補正三刺激値と受信した前記各パッチのデータ信号に基づいて、前記被測定対象装置のプロファイルを作成する第２のプロファイル作成手段と、
作成した前記プロファイルを前記光源データの送信元である前記処理装置に送信するプロファイル送信手段と、
を有することを特徴とする管理装置。
【請求項１３】
請求項１１又は１２に記載の管理装置において、
少なくとも１以上の前記光源データと、当該光源データに係る光源の光源分布を示す分光強度分布データと、を夫々対応付けて記憶する記憶手段と、
前記記憶手段を参照して受信した前記光源データに対応する前記分光強度分布データを検索する検索手段と、を有し、
前記分光強度分布データ取得手段は、検索された前記分光強度分布データを取得することを特徴とする管理装置。
【請求項１４】
請求項１３に記載の管理装置において、
前記光源データは、光源の特性を示す複数の特性項目データによって構成され、前記検索手段による検索の結果、受信した前記光源データが前記記憶手段にない場合には、各前記特性項目データの優先順位を決定する優先順位決定手段を有し、
前記分光強度分布データ取得手段は、前記記憶手段に記憶された前記光源データのうち、受信した前記光源データを構成する前記特性項目データと、前記優先順位が高い順に、同じ前記特性項目データを有する前記光源データを検索し、当該光源データに対応する前記分光強度分布データを取得することを特徴とする管理装置。
【請求項１５】
請求項１４に記載の管理装置において、
前記記憶手段に記憶された前記光源データのうち、受信した前記光源データを構成する前記特性項目データと、前記優先順位が高い順に従って検索しても同じ前記特性項目データを有する前記光源データがない場合には、受信した前記光源データに係る光源の分光強度分布を測定して分光強度分布データを作成する分光強度分布データ作成手段を有し、
前記分光強度分布データ取得手段は、作成された前記分光強度分布データを取得することを特徴とする管理装置。
【請求項１６】
請求項１４又は１５に記載の管理装置において、
前記特性項目データは、前記光源の種類、前記光源のサイズ、前記光源の演色性、前記光源の色温度の少なくともいずれか一つの特性項目であることを特徴とする管理装置。
【請求項１７】
請求項１１乃至１６のいずれか一項に記載の管理装置において、
前記被測定対象装置は印刷装置であって、
前記分光反射率取得手段は、前記印刷装置にて印刷された少なくとも１以上のパッチから成るカラーチャートの各前記パッチを測定して前記パッチの分光反射率を取得し、
前記光源データ送信手段は、前記各パッチの測定を行なった際の照明光光源を特定するための光源データを前記管理装置に送信し、
前記第２のプロファイル作成手段は、前記補正三刺激値をＣＩＥＬａｂ空間における座標値に変換したＬ*ａ*ｂ*値と、前記各パッチのＣＭＹＫ値とを用いて、前記印刷装置のプロファイルを作成することを特徴とする管理装置。
【請求項１８】
コンピュータを、請求項１１乃至請求項１７のいずれか一項に記載の管理装置として機能させることを特徴とする管理プログラム。
【発明の詳細な説明】
【技術分野】
【０００１】
本発明は、プリンタやスキャナ等の各種装置の色再現特性や階調再現特性の判定や定義を行うためのプロファイルを作成するプロファイル作成システム等に関する。
【背景技術】
【０００２】
近年、プリンタなどの印刷装置、スキャナやデジタルカメラなどの入力機器、或いはカラーモニタなどの表示機器等の各種デバイス（装置）の特性を把握し、その特性をファイルに記述し、その特性ファイルを用いて様々なデバイスの色を合わせるカラーマネジメントという技術が一般的になってきた。このカラーマネジメントは、ＩＣＣ（International Color Consortium）が提唱するＩＣＣ規格に従って行われることが一般的であり、ＩＣＣでは特性ファイルのことをプロファイルと呼ぶ。
【０００３】
例えば、プリンタなどの印刷装置についてカラーマネジメントを行なうべく、印刷装置の色再現特性や階調再現特性を確認する際に、印刷装置に依存する色空間（ＣＭＹＫ）を、デバイスに依存しない三次元の色空間（ＣＩＥＸＹＺ，ＣＩＥＬａｂ等）との間の色変換を行なうプリンタプロファイルが作成される。
【０００４】
この際、印刷装置にてＣＭＹＫから成る複数のパッチから成るチャートを印刷して、当該印刷されたチャートを、標準光源Ｄ５０の下で測色器等によって測色したＬ*ａ*ｂ*値を用いてプロファイルを作成する。また、特許文献１には、一般的なプリンタプロファイルの作成方法が開示されている。
【特許文献１】特開２００１−３２０５９２号公報
【発明の開示】
【発明が解決しようとする課題】
【０００５】
上述した従来の装置の色や階調再現特性等の判定のためのプロファイル作成においては、チャートを測定する際における照明光が、ＩＣＣの規格書 (Specification ICC.1:2004-10)にて「標準光源Ｄ５０」と指定されている。そのため、標準光源Ｄ５０以外の照明光の下でチャートを測定した場合、正確な値が得られず、正確なプロファイルを作成することができず装置の色や階調再現特性等の判定精度が低くなるという問題が生じる。
【０００６】
このような問題に対し、各パッチの分光反射率に対して、測定環境における光源の分光強度分布を求めて、照明光の影響を加味した精度の高いプロファイルの作成が可能になるが、光源の分光強度分布を測定するためには非常に高額な分光放射輝度計等の非接触型の測色器が必要になるため、コスト高となる。
【０００７】
また、予め複数の光源の分光強度分布を測定して保持しておく手法も考えられるが、多大な数の光源の分光強度分布を測定して保持するのも記憶容量が必要となり、手間がかかる。
【０００８】
そこで、本発明は上記課題に鑑みてなされたものであり、測定対象の被測定対象装置のプロファイルを作成して色や階調再現特性等を判定等する際に、装置にて出力されたチャートを測定する際の光源のデータに基づいてプロファイルを作成するので、より精度の高いプロファイルを作成することができるプロファイル作成システム等を提供することを目的する。
【課題を解決するための手段】
【０００９】
上記課題を解決するため、請求項１に記載の発明は、被測定対象装置の色再現特性及び／又は階調再現特性を判定又は／及び定義する少なくとも１以上の処理装置と、当該処理装置とネットワークを介して情報の授受が可能に接続された管理装置とにより構成されるプロファイル作成システムにおいて、前記処理装置は、前記被測定対象装置にて出力された少なくとも１以上のパッチから成るチャートの各前記パッチを測定して前記パッチの分光反射率を取得する分光反射率取得手段と、前記各パッチの測定を行なった際の光源を特定するための光源データを前記管理装置に送信する光源データ送信手段と、前記管理装置から送信された前記光源データに係る光源の分光強度分布を示す分光強度分布データを受信する分光強度分布データ受信手段と、前記分光反射率取得手段によって取得した前記分光反射率と、前記分光強度分布データ受信手段によって受信した前記分光強度分布データとに基づいて、補正三刺激値を取得する第１の補正三刺激値取得手段と、取得した前記補正三刺激値と前記各パッチのデータ信号に基づいて、前記被測定対象装置のプロファイルを作成する第１のプロファイル作成手段と、を有し、前記管理装置は、前記処理装置から送信された前記光源データを受信する光源データ受信手段と、受信した前記光源データに係る光源の分光強度分布を示す前記分光強度分布データを取得する分光強度分布データ取得手段と、前記分光強度分布データ取得手段にて取得した前記分光強度分布データを前記光源データの送信元である前記処理装置に送信する分光強度分布データ送信手段と、を有することを特徴とする。
【００１０】
これによれば、被測定対象装置の色再現特性や階調再現特性の判定や定義を行なう際に、照明光等の光源の影響を加味したプロファイルを作成することにより、任意の照明光のもとでの被測定対象装置の色再現特性や階調再現特性の判定や定義を行うことが可能になる。
【００１１】
上記課題を解決するため、請求項２に記載の発明は、被測定対象装置の色再現特性及び／又は階調再現特性を判定又は／及び定義する少なくとも１以上の処理装置と、当該処理装置とネットワークを介して情報の授受が可能に接続された管理装置とにより構成されるプロファイル作成システムにおいて、前記処理装置は、前記被測定対象装置にて出力された少なくとも１以上のパッチから成るチャートの各前記パッチを測定して前記パッチの分光反射率を取得する分光反射率取得手段と、前記各パッチの測定を行なった際の光源を特定するための光源データを前記管理装置に送信する光源データ送信手段と、前記分光反射率取得手段によって取得した前記分光反射率と、前記各パッチのデータ信号と、を前記管理装置に送信する信号送信手段と、前記管理装置から送信された前記被測定対象装置のプロファイルを受信するプロファイル受信手段と、を有し、前記管理装置は、前記処理装置から送信された前記光源データと、前記分光反射率と、前記各パッチのデータ信号と、を受信する光源データ及び信号受信手段と、受信した前記光源データに係る光源の分光強度分布を示す分光強度分布データを取得する分光強度分布データ取得手段と、受信した前記分光反射率と、前記分光強度分布データ取得手段にて取得した前記分光強度分布データとに基づいて、補正三刺激値を取得する第２の補正三刺激値取得手段と、取得した前記補正三刺激値と受信した前記各パッチのデータ信号に基づいて、前記被測定対象装置のプロファイルを作成する第２のプロファイル作成手段と、作成した前記プロファイルを前記光源データの送信元である前記処理装置に送信するプロファイル送信手段と、を有することを特徴とする。
【００１２】
これによれば、処理装置がプロファイル作成手段を備えていない場合であっても、被測定対象装置の色再現特性や階調再現特性の判定や定義を行なう際に、照明光等の光源の影響を加味したプロファイルを作成することにより、任意の照明光のもとでの被測定対象装置の色再現特性や階調再現特性の判定や定義を行うことが可能になる。
【００１３】
上記課題を解決するため、請求項３に記載の発明は、請求項１又は２に記載のプロファイル作成システムにおいて、前記管理装置は、少なくとも１以上の前記光源データと、当該光源データに係る光源の分光強度分布を示す分光強度分布データと、を夫々対応付けて記憶する記憶手段と、前記記憶手段を参照して受信した前記光源データに対応する前記分光強度分布データを検索する検索手段と、を有し、前記分光強度分布データ取得手段は、検索された前記分光強度分布データを取得することを特徴とする。
【００１４】
これによれば、管理装置は予め光源データと光源データに係る光源の分光強度分布を示す分光強度分布データとを対応付けて記憶しているので、光源データをキーとして対応する分光強度分布データを迅速且つ簡便に取得して処理装置に送信することができる。
【００１５】
上記課題を解決するため、請求項４に記載の発明は請求項３に記載のプロファイル作成システムにおいて、前記光源データは、光源の特性を示す複数の特性項目データによって構成され、前記検索手段による検索の結果、受信した前記光源データが前記記憶手段にない場合には、前記管理装置は、各前記特性項目データの優先順位を決定する優先順位決定手段を有し、前記分光強度分布データ取得手段は、前記記憶手段に記憶された前記光源データのうち、受信した前記光源データを構成する前記特性項目データと、前記優先順位が高い順に、同じ前記特性項目データを有する前記光源データを検索し、当該光源データに対応する前記分光強度分布データを取得することを特徴とする。
【００１６】
これによれば、管理装置に光源データの登録が無い場合であっても、特性項目データによって各特性項目の優先順位を決定することにより、特性の近い光源データの分光強度分布データを用いることが可能になる。
【００１７】
上記課題を解決するため、請求項５に記載の発明は、請求項４に記載のプロファイル作成システムにおいて、前記管理装置は、前記記憶手段に記憶された前記光源データのうち、受信した前記光源データを構成する前記特性項目データと、前記優先順位が高い順に従って検索しても同じ前記特性項目データを有する前記光源データがない場合には、受信した前記光源データに係る光源の分光強度分布を測定して分光強度分布データを作成する分光強度分布データ作成手段を有し、前記分光強度分布データ取得手段は、作成された前記分光強度分布データを取得することを特徴とする。
【００１８】
これによれば、管理装置に特性の近い光源データが無い場合には、管理装置は受信した光源データに係る光源の分光強度分布を測定して分光強度分布データを作成することにより、新規の光源の分光強度分布データを取得することが可能になる。
【００１９】
上記課題を解決するため、請求項６に記載の発明は、請求項４又は５に記載のプロファイル作成システムにおいて、前記特性項目データは、前記光源の種類、前記光源のサイズ、前記光源の演色性、前記光源の色温度の少なくともいずれか一つの特性項目であることを特徴とする。
【００２０】
これによれば、管理装置に光源データの登録が無い場合であっても、特性が共通する光源の分光強度分布データを取得することができる。
【００２１】
上記課題を解決するため、請求項７に記載の発明は、請求項１乃至６のいずれか一項に記載のプロファイル作成システムにおいて、前記被測定対象装置は印刷装置であって、前記分光反射率取得手段は、前記印刷装置にて印刷された少なくとも１以上のパッチから成るカラーチャートの各前記パッチを測定して前記パッチの分光反射率を取得し、前記光源データ送信手段は、前記各パッチの測定を行なった際の照明光光源を特定するための光源データを前記管理装置に送信し、前記第１のプロファイル作成手段又は／及び前記第２のプロファイル作成手段は、前記補正三刺激値をＣＩＥＬａｂ空間における座標値に変換したＬ*ａ*ｂ*値と、前記各パッチのＣＭＹＫ値と、を用いて前記印刷装置のプロファイルを作成することを特徴とする。
【００２２】
これによれば、印刷装置のプロファイルを作成する際に、補正三刺激値をＬａｂにおける座標値にて取得するため、より正確なプロファイルを取得することができる。
【００２３】
上記課題を解決するため、請求項８に記載の発明は、被測定対象装置の色再現特性及び／又は階調再現特性を判定又は／及び定義する少なくとも１以上の処理装置と、当該処理装置とネットワークを介して情報の授受が可能に接続された管理装置とにより構成されるプロファイル作成システムにおける前記処理装置において、前記被測定対象装置にて出力された少なくとも１以上のパッチから成るチャートの各前記パッチを測定して前記パッチの分光反射率を取得する分光反射率取得手段と、前記各パッチの測定を行なった際の光源を特定するための光源データを前記管理装置に送信する光源データ送信手段と、前記管理装置から送信された前記光源データに係る光源の分光強度分布を示す分光強度分布データを受信する分光強度分布データ受信手段と、前記分光反射率取得手段によって取得した前記分光反射率と、前記分光強度分布データ受信手段によって受信した前記分光強度分布データとに基づいて、補正三刺激値を取得する第１の補正三刺激値取得手段と、取得した前記補正三刺激値と前記各パッチのデータ信号に基づいて、前記被測定対象装置のプロファイルを作成する第１のプロファイル作成手段と、を有することを特徴とする。
【００２４】
上記課題を解決するため、請求項９に記載の発明は、請求項８に記載の処理装置において、前記被測定対象装置は印刷装置であって、前記分光反射率取得手段は、前記印刷装置にて印刷された少なくとも１以上のパッチから成るカラーチャートの各前記パッチを測定して前記パッチの分光反射率を取得し、前記光源データ送信手段は、前記各パッチの測定を行なった際の照明光光源を特定するための光源データを前記管理装置に送信し、前記第１のプロファイル作成手段は、前記補正三刺激値をＣＩＥＬａｂ空間における座標値に変換したＬ*ａ*ｂ*値と、前記各パッチのＣＭＹＫ値と、を用いて前記印刷装置のプロファイルを作成することを特徴とする。
【００２５】
上記課題を解決するため、請求項１０に記載の発明は、コンピュータを、請求項８又は請求項９に記載の処理装置として機能させることを特徴とする。
【００２６】
上記課題を解決するため、請求項１１に記載の発明は、被測定対象装置の色再現特性及び／又は階調再現特性を判定又は／及び定義する少なくとも１以上の処理装置と、当該処理装置とネットワークを介して情報の授受が可能に接続された管理装置とにより構成されるプロファイル作成システムにおける前記管理装置において、前記処理装置から送信された光源を特定するための光源データを受信する光源データ受信手段と、受信した前記光源データに係る光源の分光強度分布を示す分光強度分布データを取得する分光強度分布データ取得手段と、前記分光強度分布データ取得手段にて取得した前記分光強度分布データを前記光源データの送信元である前記処理装置に送信する分光強度分布データ送信手段と、を有することを特徴とする。
【００２７】
上記課題を解決するため、請求項１２に記載の発明は、被測定対象装置の色再現特性及び／又は階調再現特性を判定又は／及び定義する少なくとも１以上の処理装置と、当該処理装置とネットワークを介して情報の授受が可能に接続された管理装置とにより構成されるプロファイル作成システムにおける前記管理装置において、前記処理装置から送信された光源を特定するための光源データと、前記被測定対象装置にて出力された少なくとも１以上のパッチから成るチャートの各前記パッチを測定して取得された前記パッチの分光反射率と、前記各パッチのデータ信号と、を受信する光源データ及び信号受信手段と、受信した前記光源データに係る光源の分光強度分布を示す分光強度分布データを取得する分光強度分布データ取得手段と、受信した前記分光反射率と、前記分光強度分布データ取得手段にて取得した前記分光強度分布データとに基づいて、補正三刺激値を取得する第２の補正三刺激値取得手段と、取得した前記補正三刺激値と受信した前記各パッチのデータ信号に基づいて、前記被測定対象装置のプロファイルを作成する第２のプロファイル作成手段と、作成した前記プロファイルを前記光源データの送信元である前記処理装置に送信するプロファイル送信手段と、を有することを特徴とする。
【００２８】
上記課題を解決するため、請求項１３に記載の発明は、被測定対象装置の色再現特性及び／又は階調再現特性を判定又は／及び定義する少なくとも１以上の処理装置と、当該処理装置とネットワークを介して情報の授受が可能に接続された管理装置とにより構成されるプロファイル作成システムにおける前記管理装置において、前記処理装置から送信された光源を特定するための光源データと、前記被測定対象装置にて出力された少なくとも１以上のパッチから成るチャートの各前記パッチを測定して取得された前記パッチの分光反射率と、前記各パッチのデータ信号と、を受信する光源データ及び信号受信手段と、受信した前記光源データに係る光源の分光強度分布を示す分光強度分布データを取得する分光強度分布データ取得手段と、受信した前記分光反射率と、前記分光強度分布データ取得手段にて取得した前記分光強度分布データとに基づいて、補正三刺激値を取得する第２の補正三刺激値取得手段と、取得した前記補正三刺激値と受信した前記各パッチのデータ信号に基づいて、前記被測定対象装置のプロファイルを作成する第２のプロファイル作成手段と、作成した前記プロファイルを前記光源データの送信元である前記処理装置に送信するプロファイル送信手段と、を有することを特徴とする。
【００２９】
上記課題を解決するため、請求項１４に記載の発明は、請求項１３に記載の管理装置において、前記光源データは、光源の特性を示す複数の特性項目データによって構成され、前記検索手段による検索の結果、受信した前記光源データが前記記憶手段にない場合には、各前記特性項目データの優先順位を決定する優先順位決定手段を有し、前記分光強度分布データ取得手段は、前記記憶手段に記憶された前記光源データのうち、受信した前記光源データを構成する前記特性項目データと、前記優先順位が高い順に、同じ前記特性項目データを有する前記光源データを検索し、当該光源データに対応する前記分光強度分布データを取得することを特徴とする。
【００３０】
上記課題を解決するため、請求項１５に記載の発明は、請求項１４に記載の管理装置において、前記記憶手段に記憶された前記光源データのうち、受信した前記光源データを構成する前記特性項目データと、前記優先順位が高い順に従って検索しても同じ前記特性項目データを有する前記光源データがない場合には、受信した前記光源データに係る光源の分光強度分布を測定して分光強度分布データを作成する分光強度分布データ作成手段を有し、前記分光強度分布データ取得手段は、作成された前記分光強度分布データを取得することを特徴とする。
【００３１】
上記課題を解決するため、請求項１６に記載の発明は、請求項１４又は１５に記載の管理装置において、前記特性項目データは、前記光源の種類、前記光源のサイズ、前記光源の演色性、前記光源の色温度の少なくともいずれか一つの特性項目であることを特徴とする。
【００３２】
上記課題を解決するため、請求項１７に記載の発明は、請求項１１乃至１６のいずれか一項に記載の管理装置において、前記被測定対象装置は印刷装置であって、前記分光反射率取得手段は、前記印刷装置にて印刷された少なくとも１以上のパッチから成るカラーチャートの各前記パッチを測定して前記パッチの分光反射率を取得し、前記光源データ送信手段は、前記各パッチの測定を行なった際の照明光光源を特定するための光源データを前記管理装置に送信し、前記第２のプロファイル作成手段は、前記補正三刺激値をＣＩＥＬａｂ空間における座標値に変換したＬ*ａ*ｂ*値と、前記各パッチのＣＭＹＫ値とを用いて、前記印刷装置のプロファイルを作成することを特徴とする。
【００３３】
上記課題を解決するため、請求項１８に記載の発明は、コンピュータを、請求項１１乃至請求項１７のいずれか一項に記載の管理装置として機能させることを特徴とする管理プログラム。
【発明の効果】
【００３４】
本発明によれば、被測定対象装置の色再現特性や階調再現特性の判定や定義を行なう際に、照明光等の光源の影響を加味したプロファイルを作成することにより、任意の照明光のもとでの被測定対象装置の色再現特性や階調再現特性の判定や定義を行なうことが可能になる。
【発明を実施するための最良の形態】
【００３５】
以下、本発明の好適な実施の形態を添付図面に基づいて説明する。なお、以下に説明する実施の形態は、印刷装置のプロファイル作成システムＳに本発明を適用した例を示す。
【００３６】
［プロファイル作成システムの構成及び機能］
先ず、本実施形態に係るプロファイル作成システムＳについて、図１を用いて概念的に説明する。
【００３７】
図１は、本実施形態に係るプロファイル作成システムＳの構成の概略を示す説明図である。
【００３８】
同図に示すように、当該プロファイル作成システムＳは、性能判定の対象となる被測定対象装置の一例としてのインクジェットプリンタやレーザプリンタ等の印刷装置(以下、単に「プリンタ」と言う。) を接続する処理装置の一例としてのクライアント端末装置１ａ乃至１ｅ、当該印刷装置の性能判定環境における照明光等の各種光源の分光強度分布を分光強度分布データとして管理する管理装置の一例としてのサーバ装置２とにより構成され、各クライアント端末装置１ａ乃至１ｅは、サーバ装置２と、ＩＸ（Internet eＸchange）、ＩＳＰ（Internet Service Provider）、ＤＳＬ（Digital Subscriber Line）回線事業者（の装置）、ＦＴＴＨ（Fiber To The Home）回線事業者（の装置）、及び通信回線（例えば、電話回線や光ケーブル等）等によって、インターネット等のネットワークに物理的に接続され相互に情報の授受が可能に接続されている。
【００３９】
［クライアント端末装置の構成及び機能］
図２にクライアント端末装置１ａ乃至１ｅの概要構成例を示すブロック図を示す。なお、各クライアント端末装置１ａ乃至１ｅの構成は同じであるため、以下の説明において単に「クライアント端末装置１」とする。
【００４０】
同図に示す如くクライアント端末装置１は、演算機能を有するＣＰＵ（Central Processing Unit）、作業用ＲＡＭ（Random Access Memory）、各種データ及びプログラムを記憶するＲＯＭ（Read Only Memory）等から構成された制御部１１と、カラーチャートデータや当該カラーチャートデータの測色結果である分光反射率Ｃを記憶保存するためのＨＤ等から構成された記憶手段としての記憶部１２と、ユーザからの指示を受け付け当該指示に応じた指示信号を制御部１１に対して与える入力部（例えば、操作パネル、或いは、マウス、キーボード等）１３と、ＣＲＴ，液晶ディスプレイ等の表示部１４と、ネットワークを通じてサーバ装置２等との間の情報の通信制御を行なうための通信部１５と、シリアル方式、ＵＳＢ方式、ＩＥＥＥ１３９４、或いはその他の適宜な方式でプリンタ等の被測定対照装置を接続してカラーパッチデータの印刷（出力）指示をプリンタに送信したり、カラーパッチの分光反射率を測定するための測色器（例えばGretagMacbeth社製Spectrolino）を接続して測色結果の受信を行なうための外部機器接続部１６、を備えて構成され、制御部１１、記憶部１２、入力部１３、表示部１４、通信部１５及び外部機器接続部１６はバス１７を介して相互に接続されている。
【００４１】
そして、記憶部１２は、本発明のチャートとしてのカラーチャートを示すカラーチャートデータを記憶する。なお、本実施形態における被測定対象装置はCMYK混色によるプリンタであるため、このカラーチャートは、ＩＳＯ（International Organization for Standardization：国際標準化機構）１２６４２で規格化されているＩＴ８．７／３などのＣＭＹＫで表された複数のパッチで構成されるカラーチャートであって、これを印刷出力部１３にて出力（印刷）し、その各パッチを測色器にて測定して、各パッチのデータ信号に対応する分光反射率を取得する。なお、被測定対象装置がRGB混色によるプリンタの場合には、RGB値で表されたパッチから構成されるカラーチャートを用いるなど、各装置固有の色空間に依るものとする。
【００４２】
より具体的に説明すると、後述する性能判定処理が開始されると、各クライアント端末装置１に接続された被測定対象装置であるプリンタによって記憶部１２に記憶されているカラーチャートデータが印刷（出力）され、このカラーチャートを構成する各パッチを測色器を用いて測色して、各パッチのＣ（シアン）、Ｍ（マゼンタ）、Ｙ（イエロー）、Ｋ（ブラック）の値（データ信号）に対応する分光反射率Ｃを取得する。
【００４３】
そして、この分光反射率Ｃに対して、測定環境下における照明光等の光源の分光強度分布データを掛け合わせることによって補正を行ないプリンタに依存しないＣＩＥｘｙｚ色空間における座標値である補正三刺激値ＸＹＺを取得し、当該補正三刺激値ＸＹＺを国際照明委員会（ＣＩＥ）が定めた１９７６ＣＩＥＬａｂ空間における座標値であるL*a*b*値に変換して、当該L*a*b*値と各パッチのデータ信号を用いてプリンタのプロファイルを作成することにより、より精度の高い被測定対象装置の性能判定を可能にする。
【００４４】
なお、本実施形態は被測定対象装置をＣＭＹＫ混色のプリンタとしているため、各パッチのデータ信号は、Ｃ（シアン：０≦Ｃ≦２５５）、Ｍ（マゼンタ：０≦Ｍ≦２５５）、Ｙ（イエロー：０≦Ｙ≦２５５）、Ｋ（ブラック：０≦Ｋ≦２５５）の各色の組み合わせにより構成される。
【００４５】
なお、この各パッチのデータ信号は、上述したようにそれぞれ０から２５５までのいずれかの値を有するため、これらの全ての組み合わせを測色器にて測定することは困難かつ煩雑であるため、実際には、例えばＣ（シアン）、Ｍ（マゼンタ）、Ｙ（イエロー）、Ｋ（ブラック）の各色６ステップ（０、５１、１０２、１５３、２０４、２５５）、合計１２９６個のパッチに対応する分光反射率Ｃが取得される。この場合には、取得されている各パッチのデータ信号を補完演算して、所望の数のパッチのデータ信号と、当該パッチのデータ信号に対応する分光反射率Ｃを取得すればよい。パッチのデータ信号と分光反射率Ｃの組み合わせの数が多いほど、作成されるプリンタのプロファイルの精度が向上する。
【００４６】
また、ＣＭＹＫ＋オレンジ＋グリーン混色のプリンタや、ＣＭＹＫ＋ライトシアン＋ライトマゼンタ混色のプリンタなどＣＭＹＫ混色以外のプリンタを被測定対象装置とする場合にも本発明を適用することができる。この場合、当該プリンタで印刷されるカラーチャートの各パッチは各色の組み合わせ（例えば、Ｃ値、Ｍ値、Ｙ値、Ｋ値、オレンジ値、グリーン値等）にて構成されることとなる。
【００４７】
制御部１１は、図示しないＣＰＵ、作業用ＲＡＭ、本発明の処理プログラム等を含む各種制御プログラムやデータ等を記憶するＲＯＭ及び発振回路等を備えて構成されており、図示しない操作部からの操作信号に基づいて、当該操作信号に含まれている操作情報に対応する動作を実現すべく上記各構成部材を制御するための制御情報を生成し、バス１７を介して当該制御情報を該当する構成部材に出力して当該各構成部材の動作を統轄制御する。また、制御部１１は、コンピュータとしてのＣＰＵが、ＲＯＭや記憶部１２等に記憶された処理プログラムを実行することにより、他の構成部材と協動して本発明の分光反射率取得手段、光源データ送信手段、分光強度分布データ受信手段、第１の補正三刺激値取得手段及び第１のプロファイル作成手段として機能するようになっている。
【００４８】
［サーバ装置の構成及び機能］
図３にサーバ装置２の概要構成例を示すブロック図を示す。
【００４９】
同図に示す如くサーバ装置２は、演算機能を有するＣＰＵ（Central Processing Unit）、作業用ＲＡＭ（Random Access Memory）、各種データ及びプログラムを記憶するＲＯＭ（Read Only Memory）等から構成された制御部２１と、各種光源を示す光源データの一例である光源型番データと、当該光源の分光強度分布を示す分光強度分布データと、夫々対応付けて記憶保存（登録）する分光強度分布データベース２２Ａを含むＨＤ等から構成された記憶手段としての記憶部２２と、サーバ装置２を管理する管理者等からの指示を受け付け当該指示に応じた指示信号を制御部２１に対して与える入力部（例えば、操作パネル、或いは、マウス、キーボード等）２３と、ＣＲＴ，液晶ディスプレイ等の表示部２４と、ネットワークを通じて各クライアント端末装置１等との間の情報の通信制御を行なうための通信部２５と、シリアル方式、ＵＳＢ方式、ＩＥＥＥ１３９４、或いはその他の適宜な方式で分光放射輝度計（例えば、フォトリサーチ社製ＰＲ−７０５等）等を接続して、後に詳述する光源の分光放射輝度（分光強度分布）を測定して測色結果の受信を行なうための外部機器接続部２６、を備えて構成され、制御部２１、記憶部２２、入力部２３、表示部２４、通信部２５及び外部機器接続部２６はバス２７を介して相互に接続されている。
【００５０】
制御部２１は、図示しないＣＰＵ、作業用ＲＡＭ、本発明の管理プログラム等を含む各種制御プログラムやデータ等を記憶するＲＯＭ及び発振回路等を備えて構成されており、図示しない操作部からの操作信号に基づいて、当該操作信号に含まれている操作情報に対応する動作を実現すべく上記各構成部材を制御するための制御情報を生成し、バス２７を介して当該制御情報を該当する構成部材に出力して当該各構成部材の動作を統轄制御する。また、制御部２１は、コンピュータとしてのＣＰＵが、ＲＯＭや記憶部２２等に記憶された管理プログラムを実行することにより、他の構成部材と協動して本発明の光源データ受信手段、分光強度分布データ取得手段、分光強度分布データ送信手段、記憶手段、検索手段、優先順位決定手段、及び分光強度分布データ作成手段として機能するようになっている。
【００５１】
［プロファイル作成処理］
続いて、プロファイル作成処理について図４乃至図６を用いて具体的に説明する。
【００５２】
図４（Ａ）は、クライアント端末装置１の処理を示すフローチャートであり、図４（Ｂ）はサーバ装置２の処理を示すフローチャートである。
【００５３】
先ず、クライアント端末装置１は、カラーチャートデータを記憶部１２から取得する（ステップＳ１１）。そして、制御部１１から外部機器接続部１６を介してプリンタに印刷指示を送出し、当該カラーチャートを印刷（出力）させる（ステップＳ１２）。
【００５４】
次に、制御部１１は分光反射率取得手段として機能し、印刷したカラーチャートを測色器により測色して、各パッチに対応する分光反射率Ｃを装置内部に取り込んで取得する（ステップＳ１３）。
【００５５】
そして、制御部１１は光源データ送信手段として機能し、光源型番データをサーバ装置２に送信して分光強度分布データを要求する（ステップＳ１４）。本実施形態では、測色器によって測色した際の環境下における照明光等の光源の型番を示す光源型番データを、本発明における光源を特定するための光源データとする。
【００５６】
ここで、光源の型番について詳細に説明する。
【００５７】
光源の型番は、例えば「ＦＬＲ４０ＳＥＸ−Ｎ」のように記述され、メーカー共通のルールにて光源の特性を示す「ランプの種類」、「サイズ」、「演色性」、「色温度」の順に複数の特性項目を含んで構成する。換言すれば、当該光源を特定する光源型番データは、複数の特性項目データによって構成される。
【００５８】
特性項目「ランプの種類」の一例として、“ＦＬ”はスタータ形蛍光ランプ、“ＦＬＲ”はラビットスタート形蛍光ランプ、“ＦＨＦ”は高周波点灯専用形蛍光ランプ、を示す。
【００５９】
特性項目「サイズ」の一例として、１０、２０、４０などの数値はワット数を示し、Ｓはガラス管の径を示す。
【００６０】
特性項目「演色性」の一例として、“ＥＸ”は３波長型、“ＳＤＬ”は高演色形・演色ＡＡ、“ＥＤＬ”は高演色形・演色ＡＡＡを示す。
【００６１】
そして、特性項目「色温度」の一例として、“Ｄ”は昼光色６５００度、“Ｎ”は昼白色５０００度、“Ｗ”は白色４２００度、“ＷＷ”は温白色３５００度、“Ｌ”は電球色３０００度を示す。
【００６２】
上述した光源型番「ＦＬＲ４０ＳＥＸ−Ｎ」であれば、各特性項目毎にＦＬＲ−４０Ｓ−ＥＸ−Ｎと区分でき、ラビットスタート形蛍光ランプ（ＦＬＲ）―４０ワットガラス管径３２ｍｍ（４０Ｓ）―３波長型（ＥＸ）―昼白色５０００度（Ｎ）という特性の光源であると特定することができる。
【００６３】
なお、上記は一例であって、この他にも様々な種類やサイズ等を有する多くの光源が市販されており、上記のようなルールに基づいてそれぞれ型番が決定されている。
【００６４】
このように、ステップＳ１４では、ステップＳ１３でカラーチャートを測色した際における室内に設置された光源の型番を、光源型番データとしてサーバ装置２に送信する。
【００６５】
そして、図４（Ｂ）のフローチャートに移行し、要求を受けたサーバ装置２にて管理プログラムが実行される。先ず、制御部２１が光源データ受信手段として機能してシステムＳに含まれる何れかのクライアント端末装置１から光源型番データを受信すると、制御部２１は検索手段として機能し、分光強度分布データベース２２Ａを参照して、受信した光源型番データに対応する分光強度分布データを検索する（ステップＳ２１、ステップＳ２２）。
【００６６】
図５にサーバ装置２の記憶部２２の分光強度分布データベース２２Ａに登録（記憶）された分光強度分布データの一例を示す。
【００６７】
同図に示す如く、光源型番と当該光源型番にて特定される光源の分光強度分布データ（ＳｐｅｃＤａｔａ）が夫々対応付けて記憶されている。そして、光源型番データを受信すると、当該光源型番データに係る光源型番が登録されているか否かを検索する。言い換えれば、受信した光源型番データに係る光源型番に対応する分光強度分布データが記憶されているかを検索することとなる。
【００６８】
検索の結果、対応する分光強度分布データが分光強度分布データベース２２Ａにある場合には（ステップＳ２２：Ｙｅｓ）、制御部２１は分光強度分布データ取得手段及び分光強度分布データ送信手段として機能し分光強度分布データを取得して光源型番データの送信元のクライアント端末装置１に送信して処理を終了する（ステップＳ２３）。
【００６９】
そして、検索の結果、対応する分光強度分布データが分光強度分布データベース２２Ａに無い場合には（ステップＳ２２：Ｎｏ）、光源の特性項目の優先順位を決定する（ステップＳ２４）。この優先順位はサーバ装置２の管理者によって入力部２３を操作して優先順位を入力することによって決定してもよく、或いは、クライアント端末装置１から光源型番データをサーバ装置２に送信する際に、優先順位を指示する優先順位指示データと共に送信するよう構成してもよく、また、ステップＳ２２の検索において、対応する分光強度分布データが無いと判定されたときに、サーバ装置２から光源型番データの送信元であるクライアント端末装置１に対して「優先順位を決定してください」等のメッセージを送信して、これを受けたクライアント端末装置１にユーザが入力部１３を操作することによってサーバ装置２に対して優先順位指示データにて応答を返すよう構成してもよい。
【００７０】
ここで、特性項目の優先順位の一例を図６（Ａ）及び（Ｂ）に示す。
【００７１】
そして、分光強度分布データベース２２Ａに登録（記憶）された光源型番データのうち、受信した光源型番データを構成する特性項目データと、優先順位が高い順で同じ特性項目データを有する光源型番データを検索する（ステップＳ２５、ステップＳ２６）。
【００７２】
例えば、図６（Ａ）に示す例では、「色温度」が最優先項目として指定され、続いて「演色性」、「ランプの種類」、「サイズ」の順で優先順位が決定されているので、受信した光源型番データで示される光源型番が「ＦＣＬ４０ＨＥＸ−Ｎ」である場合には、分光強度分布データベース２２Ａに登録（記憶）された光源型番データのうち先ず初めに色温度が「Ｎ」であるものが選択される。図５に示す例によれば、光源型番が「ＦＣＲ２０ＨＥＸ−Ｎ」「ＦＬＲ４０ＳＥＸ−Ｎ」の二つが該当する。そして優先順位第２位の演色性が「ＥＸ」であるものが次に選択されるのであるが、上記両者共に該当するので、次に優先順位第３位のランプの種類が「ＦＣＲ」であるものが選択されるので、この時点で「ＦＣＲ２０ＨＥＸ−Ｎ」のみが検索されることとなる。
【００７３】
このように、優先順位に従って特性項目データが一致する光源型番データがある場合（ステップＳ２６：Ｙｅｓ）には、制御部２１は分光強度分布データ取得手段及び分光強度分布データ送信手段として機能し、当該光源型番データに対応する分光強度分布データを取得して、光源型番データの送信元のクライアント端末装置１に送信して処理を終了する（ステップＳ２７）。なお、上記優先順位は、全ての特性項目に対して決定する場合に限らず、図６（Ｂ）に示すように、ある特定の項目（図６（Ｂ）に示す例では「演色性」と「色温度」）を無視して（考慮しない）で光源型番データを決定するよう構成してもよい。
【００７４】
また、優先順位に従って検索しても特性項目データが一致する（同じ）光源型番データが無い場合（ステップＳ２６：Ｎｏ）には、制御部２１は分光強度分布データ作成手段として機能し、受信した光源型番データに係る光源の分光強度分布を測定して分光強度分布データを作成し、分光強度分布データベース２２Ａに登録する（ステップＳ２８）。より具体的には、光源型番データに係る光源の分光放射輝度（分光強度分布）を分光放射輝度計にて測定して外部機器接続部２６を介して測定結果をサーバ装置２内部に取り込み、分光強度分布データを作成して、受信した光源型番データと対応付けて新たに分光強度分布データベース２２Ａに登録する。
【００７５】
そして、制御部２１は分光強度分布データ取得手段及び分光強度分布データ送信手段として機能し、作成した分光強度分布データを分光強度分布データベース２２Ａから取得して光源型番データの送信元のクライアント端末装置１に送信し処理を終了する（ステップＳ２９）。
【００７６】
一方、図４（Ａ）のフローチャートに戻り、クライアント端末装置１は、上記ステップＳ２３、Ｓ２７及びＳ２９の処理に基づいてサーバ装置２から送信された分光強度分布データを受信すると（ステップＳ１５）、制御部１１は分光強度分布データ受信手段及び第１の補正三刺激値取得手段として機能し、ステップＳ１３で取得した分光反射率Ｃと、受信した分光強度分布データに基づいて補正三刺激値ＸＹＺを取得する（ステップＳ１６）。
【００７７】
ここで、分光強度分布データを用いて補正三刺激値ＸＹＺを取得する手法について説明する。受信した分光強度分布データで示される測定環境下における光源の特性をＰ（λ）、カラーパッチの分光反射率ＣをＲ（λ）とすると、ＸＹＺ表色系の等色関数をｘ（λ）、ｙ（λ）、ｚ（λ）（数式中、変数の上にバーを付してｘｙｚ夫々を単位ベクトル化して示す。）とすると、以下の数式１により補正三刺激値ＸＹＺを取得できる。
【００７８】
【数１】
2007104319.tif 000003
但し、定数ｋは以下の数式２で定義されるものとする。
【００７９】
【数２】
2007104319.tif 000004
上記数式１の積分値は、可視光域における補正三刺激値ＸＹＺの取得を示すものであり、従来は光源の特性Ｐ（λ）はＤ５０光源に限定されていたが、本発明によれば、分光反射率Ｃに対して測定環境下における光源の特性を示す分光強度分布データ（上記数式１におけるＰ（λ））に基づいて、光源による影響を加味しつつ、装置固体に依存しない色空間としてのＣＩＥＸＹＺ空間における座標値である補正三刺激値ＸＹＺを取得することができる。続いて、制御部１１は第１のプロファイル作成手段として機能し、各パッチのデータ信号（Ｃ、Ｍ、Ｙ、Ｋ）とステップＳ１６にて取得した補正三刺激値ＸＹＺを用いて、クライアント端末装置１が所有するプロファイル作成モジュール等によりプリンタプロファイルを作成して処理を終了する（ステップＳ１７）。より具体的に説明すると、ステップＳ１６にて取得した補正三刺激値ＸＹＺからＣＩＥＬａｂ空間における座標値としてのＬ*ａ*ｂ*値を求め、当該Ｌ*ａ*ｂ*値と各パッチのＣＭＹＫ値とを用いてプリンタプロファイルを作成する。
【００８０】
以上説明したプロファイル作成システムＳによれば、プリンタ等の被測定対象装置の色再現特性や階調再現特性の判定や定義を行なう際に、照明光等の光源の影響を加味したプロファイルを作成することにより、任意の照明光のもとでの被測定対象装置の色再現特性や階調再現特性の判定や定義を行なうことが可能になる。また、サーバ装置２は予め光源型番データと光源型番データに係る照明の分光強度分布を示す分光強度分布データとを対応付けて分光強度分布データベース２２Ａに記憶しているので、光源型番データをキーとして対応する分光強度分布データを迅速且つ簡便に取得してクライアント端末装置１に送信することができる。
【００８１】
さらに、光源データとして複数の特性項目からなる光源型番データを用いたので、分光強度分布データベース２２Ａに光源型番データの登録が無い場合でも、各特性項目の優先順位を決定することにより、特性の近い光源型番データの分光強度分布データを用いて補正三刺激値ＸＹＺを取得してプロファイルを作成することができる。
【００８２】
また、分光強度分布データベース２２Ａに特性の近い光源型番が無い場合には、サーバ装置２は受信した光源型番データに係る光源の分光放射輝度（分光強度分布）を非接触測定器である分光放射輝度計にて測定して分光強度分布データを作成することにより、新規の光源の分光強度分布データを取得することが可能になる。
【００８３】
なお、本実施形態では、光源を特定するための光源データを、光源の型番を示す光源型番データを用いたが、これに限らず、１の光源を特定するために固有のＩＤ情報等を決定し、当該識別番号をキーとして光源を特定しても本発明を実施可能である。さらに、このときＩＤ情報を光源の特性を示す複数の識別番号にて構成すれば、上述したような優先順位を決定することもできる。しかし本実施形態にて詳述したように、もともと光源の型番は光源の特性項目を含む固有の番号で決定されているので、別個固有のＩＤを用いずとも当該光源の型番を示す光源型番データを光源データとして用いることができるのでユーザにとってより簡便となる。
【００８４】
［変形形態］
続いて、図７を用いて性能判定処理の変形形態について説明する。上述した実施形態では、各クライアント端末装置１がプロファイル作成モジュールを具備していたが、各クライアント端末装置１がプロファイル作成モジュール等を所有（インストール）していない等、プロファイル作成手段を具備しない（プロファイルを作成できない）場合において、プロファイル作成モジュールを備えるサーバ装置２にてプロファイルを作成する手法について述べる。
【００８５】
クライアント端末装置１の制御部１１は、コンピュータとしてのＣＰＵが、ＲＯＭや記憶部１２等に記憶された管理プログラムを実行することにより、他の構成部材と協動して本発明の分光反射率取得手段、光源データ送信手段、信号送信手段、プロファイル受信手段として機能するようになっており、一方、サーバ装置２の制御部２１は、コンピュータとしてのＣＰＵが、ＲＯＭや記憶部２２等に記憶された管理プログラムを実行することにより、他の構成部材と協動して本発明の光源データ及び信号受信手段、分光強度分布データ取得手段、第２の補正三刺激値取得手段、第２のプロファイル作成手段、プロファイル送信手段、記憶手段、検索手段、優先順位決定手段、及び分光強度分布データ作成手段として機能するようになっている。その他、各装置の各部材の構成は上述した実施形態と同様であるので詳細な説明は省略する。
【００８６】
図７（Ａ）は、他の実施形態に係るクライアント端末装置１の処理を示すフローチャートであり、図７（Ｂ）は他の実施形態に係るサーバ装置２の処理を示すフローチャートである。
【００８７】
なお、ステップＳ５１乃至ステップＳ５３の処理は上述した実施形態のステップＳ１１乃至ステップＳ１３と夫々同様の処理であるので詳細な説明は省略する。
【００８８】
そして、ステップＳ５４において、クライアント端末装置１の制御部１１は光源データ送信手段及び信号送信手段として機能し、ステップＳ５３にて各パッチの測定を行なった際の光源を特定するための光源型番データと、測定の結果取得された分光反射率Ｃと、各パッチのデータ信号（Ｃ、Ｍ、Ｙ、Ｋ）と、をサーバ装置２に送信してプリンタプロファイルを要求する（ステップＳ５４）。図８にクライアント端末装置１がサーバ装置２の送信した各パッチのデータ信号と分光反射率Ｃの一例を示す。
【００８９】
そして、図７（Ｂ）のフローチャートに移行し、サーバ装置２にて管理プログラムが実行される。先ず、制御部２１が光源データ及び信号受信手段として機能して、システムＳに含まれる何れかのクライアント端末装置１から光源型番データ及び分光反射率Ｃと、各パッチのデータ信号（Ｃ、Ｍ、Ｙ、Ｋ）を受信すると、制御部２１は検索手段として機能し、分光強度分布データベース２２Ａを参照して、受信した光源型番データに対応する分光強度分布データを検索する（ステップＳ６１、ステップＳ６２）。なお当該検索処理は上述した実施形態のステップＳ２１、Ｓ２２と同様の処理であるので詳細な説明は省略する。
【００９０】
そして、受信した光源型番データに対応する分光強度分布データが分光強度分布データベース２２Ａにある場合には（ステップＳ６２：Ｙｅｓ）、制御部２１は分光強度分布データ取得手段として機能し、受信した光源型番データに対応する分光強度分布データを取得する（ステップＳ６３）。
【００９１】
他方、受信した光源型番データに対応する分光強度分布データが分光強度分布データベース２２Ａに無い場合（ステップＳ６２：Ｎｏ）には、光源の特性項目の優先順位を決定する（ステップＳ６４）。分光強度分布データベース２２Ａに登録（記憶）された光源型番データのうち、受信した光源型番データを構成する特性項目データと、優先順位が高い順で同じ特性項目データを有する光源型番データを検索する（ステップＳ６５、ステップＳ６６）。そして、優先順位に従って特性項目データが一致する光源型番データがある場合（ステップＳ６６：Ｙｅｓ）には、制御部２１は分光強度分布データ取得手段として機能し、当該光源型番データに対応する分光強度分布データを取得する（ステップＳ６３）。
【００９２】
他方、ステップＳ６６において、優先順位に従って特性項目データが一致する光源型番データが無い場合（ステップＳ６６：Ｎｏ）には、制御部２１は分光強度分布データ作成手段として機能し、受信した光源型番データに係る光源の分光強度分布を測定して分光強度分布データを作成し、分光強度分布データベース２２Ａに登録する（ステップＳ６７）。そして、制御部２１は分光強度分布データ取得手段として機能し、作成した分光強度分布データを分光強度分布データベース２２Ａから取得する（ステップＳ６８）。
【００９３】
なお、上記ステップＳ６３乃至ステップＳ６８の処理は、上述した実施形態のステップＳ２３乃至ステップＳ２８の説明において詳細に記載したのでここでの説明は省略する。
【００９４】
そして、制御部２１は第２の補正三刺激値取得手段として機能し、ステップＳ６３及びステップＳ６８にて取得した分光強度分布データと、クライアント端末装置１より受信した分光反射率Ｃに基づいて、上記数式１により補正三刺激値ＸＹＺを取得する（ステップＳ６９）。そして、制御部２１は第２のプロファイル作成手段及びプロファイル送信手段として機能し、クライアント端末装置１より受信した各パッチのデータ信号（Ｃ、Ｍ、Ｙ、Ｋ）と補正三刺激値ＸＹＺを用いて、プロファイル作成モジュール等によりプリンタプロファイルを作成し（ステップＳ７０）、光源型番データの送信元のクライアント端末装置１に送信して処理を終了する（ステップＳ７１）。
【００９５】
そして、図７（Ａ）のフローチャートに戻り、クライアント端末装置１の制御部１１はプロファイル受信手段として機能し、サーバ装置２から送信されたプリンタプロファイルを受信して処理を終了する（ステップＳ５５）。
【００９６】
以上説明した実施形態によれば、クライアント端末装置１にプロファイル作成モジュール等のプロファイル作成のための機能が無い場合であっても、照明光等の光源の影響を加味したプロファイルを作成することにより、任意の照明光のもとでの被測定対象装置の色再現特性や階調再現特性の判定や定義を行なうことが可能になる。なお、上述した説明において、測定対象となる被測定対象装置をプリンタ（印刷装置）としたが、スキャナやデジタルカメラ等を被測定対象装置として、各装置の観察環境下における光源の影響を加味したプロファイルを作成することにより、任意の照明光のもとでの被測定対象装置の色再現特性や階調再現特性の判定や定義を行なうことが可能になる。この場合、複数のパッチからなるチャートをスキャンした画像或いは撮影した画像から、パッチ毎に画素値を抽出した値を各パッチのデータ値として用いればよい。
【図面の簡単な説明】
【００９７】
【図１】プロファイル作成システムＳの構成の概略を示す説明図である。
【図２】クライアント端末装置１ａ乃至１ｅの概要構成例を示すブロック図である。
【図３】サーバ装置２の概要構成例を示すブロック図である。
【図４】（Ａ）クライアント端末装置１の処理を示すフローチャートである。（Ｂ）サーバ装置２の処理を示すフローチャートである。
【図５】分光強度分布データベース２２Ａに登録（記憶）された分光強度分布データの一例である。
【図６】特性項目の優先順位の一例である。
【図７】（Ａ）変形形態におけるクライアント端末装置１の処理を示すフローチャートである。（Ｂ）変形形態におけるサーバ装置２の処理を示すフローチャートである。
【図８】各パッチのデータ信号と分光反射率Ｃの一例である。
【符号の説明】
【００９８】
Ｓ  プロファイル作成システム
１（１a〜１ｅ）  クライアント端末装置      
１１  制御部        
１２  記憶部
１３  入力部
１４  表示部
１５  通信部
１６  外部機器接続部
１７  バス
２  サーバ装置
２１  制御部        
２２  記憶部
２２Ａ  分光強度分布データベース
２３  入力部
２４  表示部
２５  通信部
２６  外部機器接続部
２７  バス
Ｃ  分光反射率
ＸＹＺ  補正三刺激値
【図１】
2007104319.tif 000005
【図２】
2007104319.tif 000006
【図３】
2007104319.tif 000007
【図４】
2007104319.tif 000008
【図５】
2007104319.tif 000009
【図６】
2007104319.tif 000010
【図７】
2007104319.tif 000011
【図８】
2007104319.tif 000012